(57)【要約】【課題】交換レンズに装着されたキャップの取り外しを容易に行うことが可能な技術を提供する。【解決手段】キャップ着脱補助部材１０は、一主面を有する基材と、基材を固定部ＦＰに対して固定する固定手段とを備え、基材は、一主面側において、交換レンズ５０の一端に装着されるキャップ２０を押入可能な窪みＨＵを有し、窪みＨＵは、交換レンズ５０からのキャップ２０の取り外しに要する力よりも大きい力によって、当該窪みＨＵに押入されたキャップ２０を保持する。【選択図】図５
2010152060.tif 000002
【特許請求の範囲】
【請求項１】
一主面を有する基材と、
前記基材を固定部に対して固定する固定手段と、
を備え、
前記基材は、前記一主面側において、交換レンズの一端に装着されるキャップを押入可能な窪みを有し、
前記窪みは、前記交換レンズからの前記キャップの取り外しに要する力よりも大きい力によって、当該窪みに押入された前記キャップを保持するキャップ着脱補助部材。
【請求項２】
前記キャップが前記窪みに押入された状態において、前記基材のうち前記キャップと接触する部分は、弾性部材で形成される請求項１に記載のキャップ着脱補助部材。
【請求項３】
前記キャップが、円板状の底部を有した円筒状の部材であった場合、
前記一主面に平行な平面における前記窪みの中空断面は略円形であり、
前記中空断面の大きさは、前記キャップの前記底部に平行な平面における前記キャップの断面の大きさより小さい請求項２に記載のキャップ着脱補助部材。
【請求項４】
前記弾性部材は、前記キャップのうち前記基材との接触部分がプラスチックで形成されていた場合、硬質ゴムで形成される請求項３に記載のキャップ着脱補助部材。
【請求項５】
前記キャップの前記断面の幅に対する前記中空断面の直径の比率は、９９．０％〜９９．５％の範囲に含まれる請求項４に記載のキャップ着脱補助部材。
【請求項６】
前記固定手段は、前記基材の他主面に設けられた面ファスナーを有し、
前記面ファスナーは、前記固定部に設けられた対となる面ファスナーに接続される請求項５に記載のキャップ着脱補助部材。
【請求項７】
前記基材は、前記窪みに押入された前記キャップを取り出すための指掛け部を有している請求項６に記載のキャップ着脱補助部材。
【請求項８】
前記キャップが前記窪みに押入された状態において、前記基材のうち前記キャップと接触する部分は、前記キャップのうち前記基材との接触部分が硬質ゴムで形成されていた場合、プラスチックで形成される請求項１に記載のキャップ着脱補助部材。
【請求項９】
一端にキャップを装着可能な交換レンズを収納するハウジングと、
前記ハウジングの内壁に固定可能なキャップ着脱補助部材と、
を備え、
前記キャップ着脱補助部材は、一主面側において前記キャップを押入可能な窪みを有し、
前記窪みは、前記交換レンズからの前記キャップの取り外しに要する力よりも大きい力によって、当該窪みに押入された前記キャップを保持する収納ケース。
【発明の詳細な説明】
【技術分野】
【０００１】
本発明は、交換レンズに装着されたキャップの取り外しを補助する部材に関する。
【背景技術】
【０００２】
撮像装置の中には、一眼レフレックスタイプのカメラ(「一眼レフカメラ」とも称する)のようにレンズ交換可能な撮像装置が存在する。
【０００３】
レンズ交換可能な撮像装置用の交換レンズの両端には、レンズ等を保護するためのキャップが装着可能になっていて、当該交換レンズは、キャップを装着した状態でキャリングケース等に収納される（例えば、特許文献１）。
【０００４】
【特許文献１】特開平８−１６４０１３号公報
【発明の開示】
【発明が解決しようとする課題】
【０００５】
レンズ交換の際には、交換レンズに装着されたキャップを取り外すことになるが、レンズ交換においてキャップの取り外し作業は煩雑になっていた。
【０００６】
そこで、本発明は、交換レンズに装着されたキャップの取り外しを容易に行うことが可能な技術を提供することを目的とする。
【課題を解決するための手段】
【０００７】
本発明の第１の側面は、キャップ着脱補助部材であって、一主面を有する基材と、前記基材を固定部に対して固定する固定手段とを備え、前記基材は、前記一主面側において、交換レンズの一端に装着されるキャップを押入可能な窪みを有し、前記窪みは、前記交換レンズからの前記キャップの取り外しに要する力よりも大きい力によって、当該窪みに押入された前記キャップを保持する。
【０００８】
また、本発明の第２の側面は、収納ケースであって、一端にキャップを装着可能な交換レンズを収納するハウジングと、前記ハウジングの内壁に固定可能なキャップ着脱補助部材とを備え、前記キャップ着脱補助部材は、一主面側において前記キャップを押入可能な窪みを有し、前記窪みは、前記交換レンズからの前記キャップの取り外しに要する力よりも大きい力によって、当該窪みに押入された前記キャップを保持する。
【発明の効果】
【０００９】
本発明によれば、交換レンズに装着されたキャップの取り外しを容易に行うことができる。
【発明を実施するための最良の形態】
【００１０】
以下、本発明の実施形態について図面を参照して説明する。
【００１１】
＜実施形態＞
［概要］
図１は、本発明の実施形態に係るキャップ着脱補助部材１０の上面外観図であり、図２は、キャップ着脱補助部材１０の下面外観図である。なお、図１および図２では、方位関係を明確化するために、ＸＹの直交する２軸が付されている。
【００１２】
図１に示されるように、キャップ着脱補助部材１０は、＋Ｙ方向側の面（「表面」または「一主面」とも称する）の中央において略円筒の窪み（「凹部」または「穿孔」とも称する）ＨＵを有している。
【００１３】
また、図２に示されるように、キャップ着脱補助部材１０は、−Ｙ方向側の面（「裏面」または「他主面」とも称する）に面ファスナーＭＦを有している。裏面上の当該面ファスナーＭＦが、固定部に設けられた対となる面ファスナー（「対応面ファスナー」とも称する）に接続されると、キャップ着脱補助部材１０は、固定部に固定される。このように、裏面に設けられた面ファスナーＭＦは、固定部に対してキャップ着脱補助部材１０を固定する固定手段として機能する。
【００１４】
キャップ着脱補助部材１０は、固定部に固定された状態で用いられ、交換レンズ５０のキャップの着脱を補助する。
【００１５】
具体的には、図３〜図６を用いて説明する。図３は、キャップ（ここでは、リアキャップ）２０が装着された交換レンズ５０を示す図である。図４〜図６は、キャップ着脱補助部材１０を用いて交換レンズ５０のリアキャップ２０を取り外す様子を示す図である。図７は、交換レンズ５０を撮像装置本体１００に装着する様子を示す図である。
【００１６】
図３に示されるように、交換レンズ５０のマウント部ＭＬ１には、レンズおよびマウント部ＭＬ１を保護するためのリアキャップ２０が装着されている。
【００１７】
当該リアキャップ２０は、プラスチック（合成樹脂）で形成され、円板状の底部２０１を有した円筒状の部材である。リアキャップ２０は、交換レンズ５０のマウント部ＭＬ１に螺合可能となっていて、矢印ＹＡ１で示す方向（反螺合方向）に回転させることによって、交換レンズ５０から取り外すことができる。
【００１８】
ここで、本実施形態に係るキャップ着脱補助部材１０を用いた、リアキャップ２０の取り外し手順について説明する。
【００１９】
具体的には、図４に示すように、リアキャップ２０を装着した交換レンズ５０は、リアキャップ２０側から固定部ＦＰに固定されたキャップ着脱補助部材１０の窪みＨＵに押入される。押入されたリアキャップ２０は、リアキャップ２０の取り外しに要する力よりも大きい力で窪みＨＵによって保持される。
【００２０】
そして、図５に示されるように、リアキャップ２０を押入した状態で交換レンズ５０を反螺合方向（図５中の矢印ＹＡ２で示す方向）に回転させると、リアキャップ２０を交換レンズ５０から取り外すことができる。
【００２１】
リアキャップ２０の取り外し後、交換レンズ５０をキャップ着脱補助部材１０から引き離すと、リアキャップ２０はキャップ着脱補助部材１０の窪みＨＵに残された状態となり、リアキャップ２０未装着の交換レンズ５０が得られる（図６参照）。
【００２２】
そして、図７に示されるように、リアキャップ２０未装着の交換レンズ５０は、交換レンズ５０のマウント部ＭＬ１を撮像装置本体１００の円環状のマウント部ＭＬ２に合わせるようにして、撮像装置本体１００に装着される。
【００２３】
このように、リアキャップ２０の取り外しにキャップ着脱補助部材１０を用いることによれば、ユーザは、リアキャップ２０の取り外し作業を片手で容易に行うことができる。
【００２４】
なお、交換レンズ５０に再度リアキャップ２０を装着させる場合は、リアキャップ２０未装着の交換レンズ５０をキャップ着脱補助部材１０の窪みＨＵに入れて矢印ＹＡ２とは反対の方向に回転させればよい。
【００２５】
［キャップ着脱補助部材１０について］
次に、キャップ着脱補助部材１０の構成について詳述する。図８は、キャップ着脱補助部材１０の上面図であり、図９は、図８のIX-IX断面で切断したキャップ着脱補助部材１０の断面図である。図１０は、キャップ着脱補助部材１０の窪みＨＵにリアキャップ２０を押入した状態を示す図である。なお、図８、図９および図１０では、方位関係を明確化するために、ＸＹＺの相互に直交する３軸が付されている。図１１は、キャップ着脱補助部材１０に用いられる硬質ゴムのゴム硬度ＧＨと、リアキャップ２０の断面幅に対する窪みＨＵの直径ＤＭの比率ＲＴとの関係を示す図である。図１２は、キャップ着脱補助部材１０を用いてリアキャップ２０を取り外す様子を示す図である。
【００２６】
図８および図９に示すように、キャップ着脱補助部材１０は、弾性部材（ここでは、硬質ゴム）で形成された基材ＭＢの表面において略円筒の窪みＨＵを有している。当該窪みＨＵは、図１０に示されるように、リアキャップ２０を押入可能な大きさを有して構成されるとともに、押入されたリアキャップ２０を所定の力で保持可能なように構成される。
【００２７】
具体的には、キャップ着脱補助部材１０では、キャップ着脱補助部材１０の表面に平行な平面における窪みＨＵの中空断面の大きさが、リアキャップ２０の底部２０１に平行な平面におけるリアキャップ２０の断面の大きさよりも少し小さくなるように形成される。
【００２８】
より詳細には、リアキャップ２０を押入可能かつ保持可能とするために、キャップ着脱補助部材１０は、図１１に示されるハッチング領域ＨＲに含まれる特性を有して形成される。すなわち、キャップ着脱補助部材１０には、「硬度６０」〜「硬度８０」のゴム硬度ＧＨを有する硬質ゴムが用いられる。またさらに、底部２０１に平行な平面におけるリアキャップ２０の断面の幅（図１０の両矢印ＲＹで表されるリアキャップ２０の外径）に対する略円形の上記中空断面の直径ＤＭの比率ＲＴは、９９．０％〜９９．５％の範囲に含まれるように構成される。
【００２９】
このような構成を有するキャップ着脱補助部材１０の窪みＨＵに、当該窪みＨＵよりも少し大きいリアキャップ２０が押入されると、弾性部材で構成されたキャップ着脱補助部材１０の窪みＨＵは弾性変形し、その開口径は広がる。そして、図１２に示すように、押入された状態では、キャップ着脱補助部材１０の弾性力がリアキャップ２０に作用し、窪みＨＵと当該窪みＨＵに押入されたリアキャップ２０との間ＢＷ２では、リアキャップ２０を保持する保持力ＨＦが働く。キャップ着脱補助部材１０では、この保持力ＨＦは、交換レンズ５０のマウント部ＭＬ１とリアキャップ２０との間ＢＷ３において働く力、すなわち交換レンズ５０からリアキャップ２０を取り外すのに要する力ＮＦより大きくなる。
【００３０】
なお、キャップ着脱補助部材１０では、キャップ着脱補助部材１０と固定部ＦＰとの間ＢＷ１に働く、面ファスナーＭＦによる固定力（「接着力」とも称する）ＫＦが、リアキャップ２０の取り外しに要する力ＮＦよりも大きくなるように構成される。
【００３１】
また、キャップ着脱補助部材１０の窪みＨＵには、一対の略半円形の手掛かり部（「指掛け部」とも称する）ＴＵが設けられている（図８参照）。ユーザは、当該手掛かり部ＴＵに指を挿入して、窪みＨＵに保持されたリアキャップ２０を窪みＨＵから取り出すことができる。
【００３２】
以上のように、本実施形態に係るキャップ着脱補助部材１０は、基材ＭＢの一主面側において、交換レンズ５０の一端に装着されるリアキャップ２０を押入可能な窪みＨＵを有し、当該窪みＨＵは、交換レンズ５０からのリアキャップ２０の取り外しに要する力よりも大きい力によって、窪みＨＵに押入されたリアキャップ２０を保持する。
【００３３】
このような構成を有するキャップ着脱補助部材１０を用いれば、ユーザは、リアキャップ２０が装着された交換レンズ５０を片手で持ったまま、リアキャップ２０を容易に取り外すことができる。
【００３４】
［適用例］
次に、本実施形態に係るキャップ着脱補助部材１０の適用例について説明する。
【００３５】
キャップ着脱補助部材１０は、例えば、交換レンズ５０の収納ケース（「キャリングケース」とも称する）に備えることができる。図１３は、キャップ着脱補助部材１０を備えた収納ケース３０Ａを示す図であり、図１４は、キャップ着脱補助部材１０を備えた収納ケース３０Ｂを示す図である。
【００３６】
具体的には、図１３に示される収納ケース３０Ａの内壁には、キャップ着脱補助部材１０の面ファスナーＭＦに対して、対となる面ファスナーが設けられている。これによれば、キャップ着脱補助部材１０は、面ファスナー同士を合わせることにより、収納ケース３０Ａの内壁に固定できるため、リアキャップ２０の着脱を収納ケース３０Ａ内で行うことが可能になる。
【００３７】
なお、ここでは、キャップ着脱補助部材１０の固定手段として面ファスナーが用いられているので、収納ケース３０Ａ内においてキャップ着脱補助部材１０の配置位置を自由に変更することができる。
【００３８】
また、図１４に示されるようなユーザの腰につり下げ可能な筒状の収納ケース３０Ｂにおいては、収納ケース３０Ｂの内壁底部に、キャップ着脱補助部材１０の面ファスナーＭＦに対して、対となる面ファスナーが設けられる。このような収納ケース３０Ｂでは、底部にキャップ着脱補助部材１０を配置することにより、リアキャップ２０の着脱を収納ケース３０Ｂ内で行うことが可能になる。
【００３９】
なお、図１３および図１４に示される収納ケース３０Ａ，３０Ｂでは、面ファスナーによらず、接着剤等によりキャップ着脱補助部材１０が予め固定されていてもよい。
【００４０】
＜変形例＞
以上、この発明の実施の形態について説明したが、この発明は、上記に説明した内容に限定されるものではない。
【００４１】
例えば、上記実施形態では、キャップ着脱補助部材１０の全てが硬質ゴムで形成されている場合について例示したが、これに限定されない。
【００４２】
具体的には、リアキャップ２０が窪みＨＵに押入された押入状態において、キャップ着脱補助部材１０のうちリアキャップ２０と接触する部分、すなわち窪みＨＵのリアキャップ２０との接触部分が硬質ゴムで形成されていればよい。
【００４３】
また、上記実施形態では、リアキャップ２０がプラスチックで形成されているときに、キャップ着脱補助部材１０が硬質ゴムで形成されている場合について例示したが、これに限定されない。
【００４４】
具体的には、リアキャップ２０のうちキャップ着脱補助部材１０との接触部分が硬質ゴムで形成されている場合は、キャップ着脱補助部材１０のうちリアキャップ２０と接触する部分は、プラスチックで形成されていてもよい。
【図面の簡単な説明】
【００４５】
【図１】本発明の実施形態に係るキャップ着脱補助部材の上面外観図である。
【図２】本発明の実施形態に係るキャップ着脱補助部材の下面外観図である。
【図３】レンズキャップが装着された交換レンズを示す図である。
【図４】キャップ着脱補助部材を用いて交換レンズのリアキャップを取り外す様子を示す図である。
【図５】キャップ着脱補助部材を用いて交換レンズのリアキャップを取り外す様子を示す図である。
【図６】キャップ着脱補助部材を用いて交換レンズのリアキャップを取り外す様子を示す図である。
【図７】交換レンズを撮像装置本体に装着する様子を示す図である。
【図８】キャップ着脱補助部材の上面図である。
【図９】図８のIX-IX断面で切断したキャップ着脱補助部材の断面図である。
【図１０】キャップ着脱補助部材の窪みにリアキャップを押入した状態を示す図である。
【図１１】キャップ着脱補助部材に用いられるゴム硬度と、リアキャップの直径に対する窪みの直径の比率との関係を示す図である。
【図１２】キャップ着脱補助部材を用いてリアキャップが取り外される様子を模式的に示す図である。
【図１３】キャップ着脱補助部材を備えた収納ケースを示す図である。
【図１４】キャップ着脱補助部材を備えた収納ケースを示す図である。
【符号の説明】
【００４６】
１０  キャップ着脱補助部材
２０  リアキャップ
３０Ａ，３０Ｂ  収納ケース
５０  交換レンズ
１００  撮像装置本体
ＨＵ  窪み（凹部）
ＦＰ  固定部
ＭＦ  面ファスナー
ＴＵ  指掛け部（手掛かり部）
【図１】
2010152060.tif 000003
【図２】
2010152060.tif 000004
【図３】
2010152060.tif 000005
【図４】
2010152060.tif 000006
【図５】
2010152060.tif 000007
【図６】
2010152060.tif 000008
【図７】
2010152060.tif 000009
【図８】
2010152060.tif 000010
【図９】
2010152060.tif 000011
【図１０】
2010152060.tif 000012
【図１１】
2010152060.tif 000013
【図１２】
2010152060.tif 000014
【図１３】
2010152060.tif 000015
【図１４】
2010152060.tif 000016